(57)【特許請求の範囲】
【請求項１】
シャワー吐出口およびストレート吐出口を形成した頭部と水質浄化用カートリッジを交換可能に収容した把持部とを一体的に形成し、
前記水質浄化用カートリッジは中央空間部を設けた水質浄化材を有し、
前記把持部には、前記水質浄化用カートリッジの外周側流路を通過する原水流路と、前記外周側流路から前記水質浄化材を透過して前記中央空間部を通過する浄水流路とを形成し、
前記頭部には、前記シャワー吐出口に連通するシャワー流出口および前記ストレート吐出口に連通するストレート流出口を内周面に形成した弁外筒と、この弁外筒に回動可能に内嵌するとともに、前記浄水流路に連通し周面に第一および第二の開口を形成した浄水用弁内空間、ならびに前記原水流路に連通し周面に第三および第四の開口を形成した原水用弁内空間を有する弁内筒とからなり、外周面に操作部を設けるとともに前記シャワー吐出口の形成部材とは別体に形成され、それぞれ異なる回動角度位置で第一あるいは第三の開口を前記シャワー流出口に連通させ、または第二あるいは第四の開口を前記ストレート流出口に連通させる回動式の流路切換弁を内蔵し、
この流路切換弁を回動することにより吐出水の種類と吐出形態とを切り換えることを特徴とする浄水機能付きシャワーヘッド。
【請求項２】
前記流路切換弁の操作部を、前記頭部の側方に突出させたことを特徴とする請求項１記載の浄水機能付きシャワーヘッド。
【請求項３】
前記把持部を、フレキシブルホースを介して水栓本体と連結したことを特徴とする請求項１または２記載の浄水機能付きシャワーヘッド。
【発明の詳細な説明】
【０００１】
【発明の属する技術分野】
本発明は、台所または厨房、洗面所あるいは風呂場等で用いられ、使用時に吐出する水および／または湯を浄化する能力を具備した浄水機能付きシャワーヘッドに関する。
【０００２】
【従来の技術】
従来、洗面所あるいは風呂場等で用いられる洗面装置やシャワー装置等に取り付けられ、水および／または湯の水質浄化能力を具備したシャワーヘッドには、例えば登録実用新案公報第 3007614号記載の塩素除去シャワーヘッドがあった。
この塩素除去シャワーヘッドでは、本体内に水質を浄化するための水質浄化用カートリッジと、シャワー吐出する湯水を浄化水または原水に切り換えるための切換弁とが収容されている。
【０００３】
〔問題点〕
このような従来の塩素除去シャワーヘッドでは、シャワーヘッドの本体内に収容される切換弁が、水質浄化用カートリッジが収容された位置の上流側に配置されているため、水質浄化用カートリッジが胴部に収容されているものでは、胴部の径に制限されて切換弁の収容容積が小さくなり、切換弁を収容部に合わせて小さく形成しなければならず、その形状、構造等も制約され、しかも製造が難しくなり、また、水質浄化用カートリッジが頭部に収容されているものでは、胴部に比較して頭部が重くなり、シャワーヘッドの重量バランスが悪くなって、扱いにくいものとなるという問題点があった。
【０００４】
【発明が解決しようとする課題】
本発明は、従来の技術における前記問題点を解消するためのものであり、そのための課題は、胴部に水質浄化用カートリッジを収容し、頭部に切換弁を装備して、切換弁の形状、構造および収容容積等の制約を大幅に緩めるとともにシャワーヘッドの取扱上バランスの良い形状・構造にすることができる浄水機能付きシャワーヘッドを提供することにある。
【０００５】
【課題を解決するための手段】
前記課題を達成するため具体的に構成した本発明における請求項１に係る浄水機能付きシャワーヘッドは、シャワー吐出口およびストレート吐出口を形成した頭部と水質浄化用カートリッジを交換可能に収容した把持部とを一体的に形成し、前記頭部には、前記シャワー吐出口に連通するシャワー流出口および前記ストレート吐出口に連通するストレート流出口を内周面に形成した弁外筒と、この弁外筒に回動可能に内嵌するとともに、前記浄水流路に連通し周面に第一および第二の開口を形成した浄水用弁内空間、ならびに前記原水流路に連通し周面に第三および第四の開口を形成した原水用弁内空間を有する弁内筒とからなり、外周面に操作部を設けるとともに前記シャワー吐出口の形成部材とは別体に形成され、それぞれ異なる回動角度位置で第一あるいは第三の開口を前記シャワー流出口に連通させ、または第二あるいは第四の開口を前記ストレート流出口に連通させる回動式の流路切換弁を内蔵し、この流路切換弁を回動することにより吐出水の種類と吐出形態とを切り換えることを特徴とするものである。
また、前記水質浄化用カートリッジには中央空間部を設けた水質浄化材を有し、前記把持部には、前記水質浄化用カートリッジの外周側流路を通過する原水流路と、前記外周側流路から前記水質浄化材を透過して前記中央空間部を通過する浄水流路とを形成したことにより、原水吐出の場合には、水質浄化用カートリッジの外周側流路を通過する原水により、浄水吐出時に蓄積された水質浄化材表面の目詰まりを引き起こすような微細な固形物質等を洗い流し、浄水吐出時に目詰りしにくくし、水質浄化材の浄化能力を高レベルに維持し、かつ寿命を長くすることができる。
【０００６】
また、請求項２に係る浄水機能付きシャワーヘッドは、前記流路切換弁の操作部を、前記頭部の側方に突出させたことを特徴とする。
【０００７】
また、請求項３に係る浄水機能付きシャワーヘッドは、前記把持部を、フレキシブルホースを介して水栓本体と連結したことを特徴とする。
【０００９】
【発明の実施の形態】
本発明における以下の実施の形態では、原水と浄水の少なくとも一方はストレート吐出とシャワー吐出とができる場合について説明する。
なお、この実施の形態は、発明の趣旨をより良く理解させるため具体的に説明するものであり、特に指定のない限り、発明内容を限定するものではない。
【００１０】
〔第１実施形態〕
〔構成〕
この実施の形態における浄水機能付きシャワーヘッド１００は、図１〜３に示すように、外観上、水質浄化用カートリッジを収容できる大きさに形成された把持部１１０と、その把持部１１０の先端に形成された頭部１２０とからなり、この頭部１２０の側面に流路切換弁の操作部１３０を突設している特徴的外観を有する。そして、頭部１２０の下面にはシャワー吐出面１４０を形成し、その中央部にストレート吐出口１４１を設ける。そして、混合水栓等のホース（図示せず）を接続できるように、ホース側接続端に螺合するねじ部１１１を有するホース接続部１１２を形成する。
【００１１】
この浄水機能付きシャワーヘッドでは、図４〜７に示すように、把持部１１０は、中間部で頭部１２０側の筒部１１３とホース取付側の筒部１１４とに分け、これらを着脱自在かつ一体的に組み合わせることができるようにする中継用ねじ部１１５を設け、この中継用ねじ部１１５の螺合を解除して筒部１１３と筒部１１４を分離することにより、把持部１１０の内部に水質浄化用カートリッジ１６０を収容あるいは交換できるようにする。
【００１２】
頭部１２０には、把持部１１０の軸線に対して垂直かつ水平方向に延びる軸線と平行な軸を有する回動式の流路切換弁１７０を内嵌する。頭部１２０の側面から円筒状の操作部材組込部１２５を突出し、この操作部材組込部１２５に流路切換弁１７０の一端部を突出して操作部１３０を組み付け、頭部１２０の外部から頭部１２０の内部に収容されている流路切換弁１７０を軸線回りに回動操作できるようにする。
【００１３】
水質浄化用カートリッジ１６０を収容した把持部１１０では、水質浄化用カートリッジ１６０の外周側の流路１１６を原水流路の一部として利用し、水質浄化用カートリッジ１６０の水質浄化材１６１に形成された中央空間部１６２を浄水流路の一部として利用する。
これにより、浄水吐出の場合には、把持部１１０内に流入した混合水が、水質浄化用カートリッジ１６０の外周側の流路１１６から水質浄化用カートリッジ１６０の水質浄化材１６１を通過して水質を浄化し、そして中央空間部１６２に流出し、また、原水吐出の場合には、水質浄化用カートリッジ１６０の外周側の流路１１６を通過して頭部１２０側へ流出する。
【００１４】
水質浄化用カートリッジ１６０は、中心軸と同心的に中央空間部１６２を設けて円筒状に形成した水質浄化材１６１と、その下流側に不織布、スポンジまたは網等からなるフィルタ１６３，１６４に挟持された粒状あるいはペレット状の殺菌セラミック１６５とを、３つに分割したキャップ１６６，１６７，１６８によって形成された２つの空間にそれぞれ収容したものである。
【００１５】
そして、水質浄化材１６１は、周壁に軸方向へ長く穿設したスリットを多数設けた有底円筒形状に形成されたキャップ１６６と、円筒形状の中央部に流体通路となる孔を穿設した軸方向に垂直な面の水質浄化材支持壁を設けるとともに各端部にはそれぞれ他のキャップ１６６とキャップ１６８との嵌合部を形成したキャップ１６７との間に形成された空間に収容する。
【００１６】
また、フィルタ１６３，１６４に挟持された殺菌セラミック１６５は、キャップ１６７と、キャップ１６７とは異径の２つの円筒を軸方向に垂直な壁面により接続し、２つの円筒のうち大径側の円筒にキャップ１６７との嵌合部を形成し、小径側の円筒に頭部１２０側に設けたカートリッジ受け１１７との嵌合部を形成したキャップ１６８との間に形成された空間に収容する。
【００１７】
水質浄化用カートリッジ１６０に収容される水質浄化材１６１は、活性炭を主成分として円筒状に固めたもので、この円筒状の外周面と中央空間部１６２との間を水、湯または湯水混合水（以下、単に混合水という）が透過する時に、水中に溶解した化学成分や浮遊している微細な固形物質が吸着または濾過される。
また、殺菌セラミック１６５は、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。
【００１８】
このように形成された把持部１１０と水質浄化用カートリッジ１６０とにより、原水吐出の場合には、混合水が水質浄化用カートリッジ１６０の外周側に形成された流路１１６を通過するため、流路１１６を通過する原水により、浄水吐出時に蓄積された水質浄化材表面の目詰まりを引き起こすような微細な固形物質等を洗い流し、浄水吐出時に目詰りしにくくし、水質浄化材１６１の浄化能力を高レベルに維持し、かつ寿命を長くする。特に、湯を原水吐出する場合には、湯温が高温であるほど、水質浄化材１６１の主成分である活性炭から浄水吐出時に吸着したトリハロメタンや金属イオン等を放出して、効果的に除去することができ、活性炭の再生効果を高めることができる。
【００１９】
把持部１１０の筒部１１３には、内面側の端部に水質浄化用カートリッジ１６０の先端部（すなわちキャップ１６８の小径側の端部）を差し込み、固定することができるようにした円筒状のカートリッジ受け１１７を突設する。
このカートリッジ受け１１７に水質浄化用カートリッジ１６０のキャップ１６８に設けられた小径側の端部を差し込むことにより、水質浄化用カートリッジ１６０が位置固定される。
カートリッジ受け１１７に差し込まれる水質浄化用カートリッジ１６０のキャップ１６８には、小径側の端部の周面にＯリング１６９が周設され、カートリッジ受け１１７に水質浄化用カートリッジ１６０のキャップ１６８に設けられた小径側の端部を差し込んだ場合に、カートリッジ受け１１７の内周面にＯリング１６９が密接することにより漏れ止めされる。
【００２０】
そして、カートリッジ受け１１７の外周側の流路１１８が、水質浄化用カートリッジ１６０の外周側の流路１１６と連通して原水流路の一部として利用され、さらにカートリッジ受け１１７の内面側の流路１１９が水質浄化用カートリッジ１６０の中央空間部１６２と、フィルタ１６３，１６４に挟持された殺菌セラミック１６５を介して、連通することにより浄水流路の一部として利用される。
【００２１】
頭部１２０の内部には、流路切換弁１７０の上流側に、原水用の弁上流側の流路１２１と、この流路１２１が接続する原水側の弁入口空間１２２と、浄水用の弁上流側の流路１２３と、この流路１２３が接続する浄水側の弁入口空間１２４とが形成され、流路切換弁１７０の下流側に、流路切換弁１７０の流出口１７１と仕切部材１８０とにより形成されたストレート吐出側の流路１７２，１８１と、シャワー吐出側の流路１８２，１８３とが形成される。
【００２２】
頭部１２０の全体形状は、図８〜１５に示すように、蓋材１２６とシャワー吐出面１４０を形成する部材を取り外した状態では、円筒形状の側面に筒部１１３と流路切換弁１７０の操作部１３０を取り付ける操作部材組込部１２５とを突出した平面形状が略Ｌ字状に３つの筒が組み合わされた筒状体に形成される。
【００２３】
頭部１２０の内部には、操作部材組込部１２５と同心になる筒状に形成された流路切換弁１７０として形成される弁体の弁外筒１７３を設け、その弁外筒１７３の側面から頭部１２０の内壁に達する水平方向に延設された板状の仕切部材１９１と、この仕切部材１９１から弁上流側に立ち上がり、頭部１２０の内壁との間で適当幅の間隔を開けて円筒状に形成した弁上流側の流路仕切部材１９２とを設け、流路仕切部材１９２の外周側には原水流路１２１を、内周側には浄水側の弁入口空間１２４を形成する。
【００２４】
弁外筒１７３と流路仕切部材１９２が交叉する位置では、図１２，１５に示すように、弁外筒１７３の内径と同径に貫通し、操作側では弁外筒１７３の外周側に張出して頭部１２０の内壁から適当寸法の間隙を開けて内壁を被うとともに上端を開口した浄水案内壁１２７を設け、その浄水案内壁１２７で被われた箇所の下端に位置する弁外筒１７３には浄水流入口１２７ａを穿設し、操作側の反対側では、原水流路１２１が接続する原水側の弁入口空間１２２を形成するとともに弁外筒１７３の端部を開口し、この開口を介して弁入口空間１２２の形成側から流路切換弁１７０に原水が流入できるように形成する。
【００２５】
弁外筒１７３のシャワー吐出面側に位置する側面には、シャワー吐出面の中心軸と同心的にストレート吐出側の流路１７２への流出口１７３ａを穿設し、この流出口１７３ａに対して弁外筒１７３の軸線に沿って互いに反対側の位置に１つずつシャワー吐出側の流路１８２への流出口１７３ｂ，１７３ｂを穿設する。
【００２６】
頭部１２０に突出した操作部材組込部１２５は、吐出面を下に向けた場合に外周面の側方（シャワー吐出面の中心軸に対して垂直な向き）に向いた開口を有し、弁外筒１７３の内径よりも大きな内径に形成し、先端部には部材嵌合用に均一な肉厚を有する円筒部１２５ａを形成し、その円筒部１２５ａに同一周上等ピッチに４つの操作部材固定用の孔１２５ｂ，…，１２５ｂを穿設する。
【００２７】
頭部１２０の頂部を被う蓋部材１２６は、図１６に示すように、外側に凸な曲面を有する平面形状が円形に形成された蓋面の外周端に、原水流路１２１の頭部側の内面に内嵌する円筒状の嵌合部１２６ａと、この嵌合部１２６ａの内側に原水流路１２１の内側の壁面を形成する流路仕切部材１９２に内嵌する円筒状の嵌合部１２６ｂとを、蓋部材１２６の内面側に突設する。
【００２８】
流路切換弁１７０は、頭部１２０に設けられた弁外筒１７３（図８）と、この弁外筒１７３に内嵌して弁外筒１７３内で軸回りに回動する弁内筒１７４（図１７）とからなる。
弁内筒１７４は、図１７〜１９に示すように、円筒部１７４ａの一端に円筒部外径よりも大きな外径を有する円板状の端面板１７４ｂを設け、その端面板１７４ｂの中心部から同心的に操作部材取付軸１７４ｃを突出し、さらに円筒部１７４ａの表面には、外周を一周するＯリング溝１７４ｄ，１７４ｅを軸突出側の反対側に位置する端部と浄水入口側の流入口を開口した位置の端面板配設側の反対側に位置する縁部に刻設し、また各流出口の周囲を一周するＯリング溝１７４ｆ，…，１７４ｆを刻設する。
【００２９】
弁内筒１７４の円板状の端面板１７４ｂは、操作部材組込部１２５の内径よりも小さい径に形成して、操作部材組込部１２５から弁外筒１７３の内部に弁内筒１７４の円筒部１７４ａを挿入するとともに弁内筒１７４の端面板１７４ｂを操作部材組込部１２５の内部の最奥部まで挿入することができるようにする。
弁内筒１７４の円筒部１７４ａの長さは、端面板１７４ｂの円筒部側の面から原水側の弁入口空間形成側に位置する円筒部１７４ａの端面までの長さが、原水側の弁入口空間１２２の容積を確保できる範囲で長く形成する。
【００３０】
弁内筒１７４には複数の流出口１７４ｇ，１７４ｈ，１７４ｉ，１７４ｊおよび浄水側の流入口１７４ｋ，１７４ｌを穿設する。各流出口の軸方向の位置は、弁外筒１７３に穿設された流出口１７３ａ，１７３ｂ，１７３ｂの軸方向の位置に合わせて穿設する。浄水側の流入口１７４ｋ，１７４ｌは、平面形状が矩形の孔を一辺を端面板１７４ｂに沿わせ、互いに軸回りに 90 度回転させた位置だけずらして穿設する。
【００３１】
端面板１７４ｂの円筒部１７４ａと反対側に位置する面には、中央部に弁内筒１７４の軸心と同心的に丸棒状の操作部材取付軸１７４ｃを立設する。
操作部材取付軸１７４ｃの中心部には軸方向に延びるねじ孔１７４ｍを設けて嵌合した操作部材をねじ止めすることができるようにし、先端部には端面から軸方向の所定位置まで３辺を平面に各面が直角になるようにカットして、一辺が山形に盛り上がった形状を有する角棒部１７４ｎを形成し、その操作部材取付軸１７４ｃの形状により取り付けるべき操作部材の取付位置や取付向きを確定できるようにする。
【００３２】
各流出口１７４ｇ，１７４ｈ，１７４ｉ，１７４ｊおよび浄水側の各流入口１７４ｋ，１７４ｌの軸回りの相対的な向きは、図１８，２０〜２３に示すように、弁内筒１７４を端面板１７４ｂから開口した端面の方向に向いて見た場合に、浄水側のストレート吐出側の流路１７２への流出口１７４ｇと、原水側のストレート吐出側の流路１７２への流出口１７４ｈとが、上下方向に延設される同一直線上に孔の中心を合わせて互いに軸回りに 180度ずれた位置に、その流出口１７４ｇよりも軸方向の開口を有する端部によせた位置に穿設される流出口１７４ｉが流出口１７４ｈから反時計回りに 90 度回転した位置に、それぞれ配置して、原水がストレート吐出またはシャワー吐出することができるように流出方向を定める。
【００３３】
また、流出口１７４ｇよりも端面板１７４ｂによせた位置に穿設される流出口１７４ｊを流出口１７４ｇから反時計回りに 90 度回転した位置に配置し、さらに、浄水側の各流入口１７４ｋ，１７４ｌを、軸まわりに互いに 90 度ずれた位置で、流入口１７４ｋが流出口１７４ｇと 180度軸回りに回転した位置に、流入口１７４ｌが流出口１７４ｊと 180度軸回りに回転した位置に配置して、流入口１７４ｋから流入して流出口１７４ｇからストレート吐出側の流路１７２へ流出するか、流入口１７４ｌから流入して流出口１７４ｊからシャワー吐出側の流路１８２へ流出して、浄水がストレート吐出またはシャワー吐出することができるように流出方向を定める。
【００３４】
そして、弁内筒１７４の内部には、流出口１７４ｇと流出口１７４ｈとの間に内部を原水用弁内空間と浄水用弁内空間として仕切る仕切板１７４ｏを設け、仕切板１７４ｏの半分は流出口１７４ｇの開口側に、仕切板１７４ｏの他の半分は流出口１７４ｈの端面板１７４ｂ側に位置する弁内筒１７４の内壁に接続して、仕切板１７４ｏから開口側を原水側の遮断弁として、また仕切板１７４ｏから端面板１７４ｂ側を浄水側の遮断弁として使用する。
【００３５】
操作部材取付軸１７４ｃに取り付ける操作部１３０を形成する各操作部材は、挿入順に、丸棒部分に挿入する軸支持部材１３１と、この軸支持部材１３１に設けられた凹部に係合して弁内筒回転時のクリック感を与えるクリック部材１３２と、操作部材取付軸１７４ｃを回動する回動力を与える切換つまみ部材１３３とからなる。
【００３６】
軸支持部材１３１は、図２４〜２６に示すように、有底円筒の底板側の中心部に操作部材取付軸１７４ｃの丸棒部分に嵌合する丸孔１３１ａを同心に穿設し、この丸孔１３１ａの弁内筒１７４の端面板１７４ｂ側に向いた端面側に外周縁を拡径して端面板１７４ｂとの間の漏止めをするＯリング（図４参照）を嵌め込むＯリング溝１３１ｂを刻設し、軸方向位置が底板側によった外周面に頭部１２０の操作部材組込部１２５の内面との間を漏止めするＯリング（図４参照）をはめ込むＯリング溝１３１ｃを刻設し、有底円筒の開口側に位置する端部を端面側から所定の深さまで薄肉に形成するとともに軸方向のスリット１３１ｄを周上等ピッチに４つ刻設して、スリット刻設側の端部を径方向に縮径・拡径可能に形成し、スリット刻設側の端部には各スリット１３１ｄ，…，１３１ｄの刻設位置の中間の位置に外周側には操作部材組込部１２５に設けられた孔１２５ｂ，…，１２５ｂと係合する突出部１３１ｅ，…，１３１ｅを突設し、内周側には軸方向へ延びる横断面が円弧状内面の凹部１３１ｆ，…，１３１ｆを設ける。
【００３７】
クリック部材１３２は、図２７に示すように、軸支持部材１３１の内面と切換つまみ部材１３３の操作部材取付軸１７４ｃへの嵌合部（図２８参照）の外周との間に嵌め込まれる環状体に形成して、この環状体の中心部に円形の一部が直線的に形成された円冠状の孔１３２ａを穿設し、この孔１３２ａと外周との間に一部が変形した円弧状のスリット１３２ｂを同一円周上等ピッチに２つ設け、スリット形成箇所の外周部１３２ｄ，１３２ｄの中央部に外周面を形成する円よりも外方へ突出した突出部１３２ｃ，１３２ｃを突設するとともに外周部１３２ｄの両端部の板厚を薄く形成して、スリット形成箇所の外周部１３２ｄ，１３２ｄが径方向に撓むように形成し、突出部１３２ｃ，１３２ｃが軸支持部材１３１の内面に摺動して凹部１３１ｆ，…，１３１ｆに係合したときに生じる小さな弾性的衝撃が弁内筒回転時のクリック感として指に伝わるようにする。
【００３８】
切換つまみ部材１３３は、流路切換弁の操作部１３０のうちで頭部１２０の側面から突出したつまみ部分となる部材で、図２８に示すように、操作部材組込部１２５の先端部に嵌合する内径を有する円筒状のリム部１３３ａと、操作部材取付軸１７４ｃの一辺が山形に盛り上がった形状を有する角棒部１７４ｎに外嵌する横断面形状を相似形に形成した所定深さの孔１３３ｃを穿設したハブ部１３３ｄと、リム部１３３ａとハブ部１３３ｄとの同じ側の端部を一体に結合する均一な板厚のホイール部１３３ｅを有する車輪型のつまみ部品を形成する。
切換つまみ部材１３３には、ハブ部１３３ｄに設けた孔１３３ｃよりも奥に孔１３３ｃよりも小さな径に形成したねじ挿通用の小孔１３３ｇを設け、リム部１３３ａの外周面には指の滑り止めにする４つの突出部１３３ｂ，…，１３３ｂを外周上等間隔に突設する。
【００３９】
仕切部材１８０は、図２９に示すように、円板部１８０ａの外周縁に短い円筒状の環状部材１８０ｂ，１８０ｃを突設し、円板部１８０ａの中央部にストレート吐出側へ流出させるための円筒部材１８０ｄ，１８０ｅを突設して、円筒部材１８０ｄの内側を集合通過部（図３０参照）を嵌合する嵌合孔として利用し、円筒部材１８０ｄと円筒部材１８０ｅとの境界近傍の内側にはストレート吐出側の流路１８１に向かって縮径するコーン部１８０ｆを形成して集合通過部から流出する原水または浄水を中心部に向かって集中させ、さらに上面側に位置する円筒部材１８０ｄと下面側に位置する円筒部材１８０ｅとが位置する円板部１８０ａの中央部の外周側に同一円周上等ピッチに８つの貫通孔１８０ｇを穿設して原水を弁下流側空間からシャワー側空間へ流出できるようにする。また、外周縁の下側に位置する環状部材１８０ｃには外周面に雄ねじ１８０ｈを形成してシャワープレート（図３１参照）を螺合できるようにするとともに環状部材１８０ｃの根元部の外周側にＯリング溝１８０ｉを刻設する。
【００４０】
集合通過部１８５は、図３０に示すように、有底円筒の底板部１８５ａに外周側の下端部が外部と部分的に貫通する多数の光芒を有する環状の溝１８５ｂを軸方向に深く刻設し、底板部１８５ａの側方を円筒部の外径よりも小さくして、溝１８５ｂの側方を開口した形状に形成する。この集合通過部１８５の外形は円筒部の外形を仕切部材１８０の円筒部材１８０ｄの内径に嵌め込むことができる外径にし、底板部１８５ａが仕切部材１８０のコーン部１８０ｆに位置するように軸方向の寸法を調節して、開口から径方向外方へ流出する原水または浄水をコーン部１８０ｆによって中心部に集中するようにする。
この集合通過部１８５は仕切部材１８０の円筒部材１８０ｄに内嵌して、仕切部材１８０の上流側からストレート吐出側の流路１８１へ流出させる。
【００４１】
シャワープレート１４６は、図３１に示すように、原水または浄水の吐出面を形成する円盤状の部材で、中央部にストレート吐出口１４１となる孔を穿設し、このストレート吐出口１４１によって占められる箇所の残りのシャワー吐出面１４０には、シャワー吐出口１４２となる小孔を多数個穿設し、円盤状のシャワー吐出面１４０の周縁部には上流側に湾曲して突出した張出部１４３を設け、その内周面に雌ねじ１４４を形成して仕切部材１８０に設けた雄ねじ１８０ｈに螺合できるようにし、張出部１４３の上端部の内側には拡径した段差部１４５を設けてＯリング溝の代わりとし、仕切部材１８０に設けたＯリング（図７参照）を外側から押圧して仕切部材との螺合時に漏止めができるようにする。
【００４２】
〔作用効果〕
このように構成した第１実施形態においては、流路切換弁の操作部１３０の切換つまみ部材１３３を軸回りに回動し、原水がストレート吐出される位置に合わせると、図７に示すように、原水用の弁上流側の流路１２１から弁入口空間１２２に流出し、流路切換弁１７０の端部に設けられた開口から原水側の遮断弁内に入り、流出口１７４ｈから流出口１７３ａを介してストレート吐出側の流路１７２へ流出し、さらに流路１７２から集合通過部１８５を介してストレート吐出側の流路１８１へ流出し、ストレート吐出口１４１からストレート吐出する。
【００４３】
次に、操作部１３０の切換つまみ部材１３３を、原水のストレート吐出位置から時計回りに 90 度回動して原水がシャワー吐出される位置に合わせると、図３２に示すように、原水が流路切換弁１７０の端部に設けられた開口から原水側の遮断弁内に流入し、流出口１７４ｉから流出口１７３ｂを介してシャワー吐出側の流路１８２へ流出し、さらに流路１８２から貫通孔１８０ｇを介してシャワー吐出側の流路１８３へ流出し、シャワー吐出口１４２からシャワー吐出する。
【００４４】
さらに、操作部１３０の切換つまみ部材１３３を、原水のストレート吐出位置から時計回りに 180度（原水のシャワー吐出位置から時計回りに 90 度）回動して浄水がストレート吐出される位置に合わせると、図３３に示すように、水質浄化用カートリッジ１６０から流出した浄水は弁上流側の流路１２３を介して弁入口空間１２４に流出し、浄水案内壁１２７を乗り越えて浄水流入口１２７ａから弁内筒１７４の流入口１７４ｋを通過して浄水側の遮断弁内に流入し、遮断弁の浄水側の弁内を通過して、弁内筒１７４の流出口１７４ｇから弁外筒１７３の流出口１７３ａを介してストレート吐出側の流路１７２へ流出し、さらに流路１７２から集合通過部１８５を介してストレート吐出側の流路１８１へ流出し、ストレート吐出口１４１からストレート吐出する。
【００４５】
さらに、操作部１３０の切換つまみ部材１３３を、原水のストレート吐出位置から時計回りに 270度（浄水のストレート吐出位置から時計回りに 90 度）回動して浄水がシャワー吐出される位置に合わせると、図３４に示すように、水質浄化用カートリッジ１６０から流出した浄水は弁上流側の流路１２３を介して弁入口空間１２４に流出し、浄水案内壁１２７を乗り越えて浄水流入口１２７ａから弁内筒１７４の流入口１７４ｌを通過して浄水側の遮断弁内に流入し、遮断弁の浄水側の弁内を通過して、弁内筒１７４の流出口１７４ｊから弁外筒１７３の流出口１７３ｂを介してシャワー吐出側の流路１８２へ流出し、さらに流路１８２から貫通孔１８０ｇを介してシャワー吐出側の流路１８３へ流出し、シャワー吐出口１４２からシャワー吐出する。
【００４６】
このようにして切換つまみ部材１３３を操作するだけで原水と浄水とをそれぞれストレート吐出またはシャワー吐出するように４パターンを切り換えて使用できるようになり、操作性を向上するとともに構造を簡素化することができる。このため、胴部に水質浄化用カートリッジを収容し、頭部に切換弁を装備して、切換弁の形状、構造および収容容積等の制約を大幅に緩めるとともにシャワーヘッドの取扱上もバランスの良い形状・構造にすることができる。
【００４７】
〔第２実施形態〕
〔構成〕
この第２実施形態における浄水機能付きシャワーヘッド２００は、図３５〜３７に示すように、第１実施形態の浄水機能付きシャワーヘッド１００における流路切換弁が４方弁を構成しているのに対して、第２実施形態の流路切換弁が３方弁を構成する点が異なる。
以下の説明では、流路切換弁の構成に係る部材以外の部材については、第１実施形態と同じ構成にして同一の符号を付すかまたは下２桁を同一にして説明を省略する。
【００４８】
浄水機能付きシャワーヘッド２００は、水質浄化用カートリッジを収容できる大きさに形成された把持部１１０と、その把持部１１０の先端に形成された頭部１２０とからなり、この頭部１２０の側面に流路切換弁の操作部１３０を突設している。そして、頭部１２０の下面にはシャワー吐出面１４０を形成し、その中央部にストレート吐出口１４１とストレート吐出口１４１の周囲にシャワー吐出口１４２とを設ける。
【００４９】
頭部１２０の内部には、流路切換弁２７０の上流側に、原水用の弁上流側の流路１２１と、この流路１２１が接続する原水側の弁入口空間２２２と、浄水用の弁上流側の流路１２３と、この流路１２３が接続する浄水側の弁入口空間１２４とが形成され、流路切換弁２７０の下流側に、流路切換弁２７０の流出口２７１と仕切部材１８０とにより形成されたストレート吐出側の流路２７２，１８１と、シャワー吐出側の流路１８２，１８３とが形成される。
【００５０】
頭部１２０は、図３８〜４０に示すように、蓋材１２６とシャワー吐出面１４０を形成する部材であるシャワープレート１４６を取り外した状態では、円筒形状の側面に筒部１１３と操作部材組込部１２５とを突出した平面形状が略Ｌ字状に３つの筒が組み合わされた筒状体に形成され、その内部には、操作部材組込部１２５と同心になる筒状に形成された流路切換弁２７０として形成される弁体の弁外筒２７３を設け、その弁外筒２７３の側面から頭部１２０の内壁に達する水平方向に延設された板状の仕切部材１９１と、この仕切部材１９１から弁上流側に立ち上がり頭部１２０の内壁との間で適当幅の間隔を開けて円筒状に形成した弁上流側の流路仕切部材１９２とを設け、流路仕切部材１９２の外周側には原水流路１２１を、内周側には浄水側の弁入口空間１２４を形成する。
【００５１】
弁外筒２７３と流路仕切部材１９２が交叉する位置では、弁外筒２７３の内径と同径に貫通し、操作側では弁外筒２７３の外周側に張出して頭部１２０の内壁から適当寸法の間隙を開けて内壁を被うとともに上端を開口した浄水案内壁２２７を設け、その浄水案内壁２２７で被われた箇所の下端に位置する弁外筒２７３には浄水流入口２２７ａを穿設し、操作側の反対側では、原水流路１２１が接続する原水側の弁入口空間２２２を形成するとともに弁外筒２７３の端部を開口し、この開口を介して弁入口空間２２２の形成側から流路切換弁２７０に原水が流入できるように形成する。
【００５２】
弁外筒２７３のシャワー吐出面側に位置する側面には、シャワー吐出面の中心軸と同心的にストレート吐出側の流路２７２への流出口２７３ａを穿設し、この流出口２７３ａに対して弁外筒２７３の軸線に沿って原水側の弁入口空間２２２に寄った位置にシャワー吐出側の流路１８２への流出口２７３ｂを穿設する。
【００５３】
頭部１２０に突出した操作部材組込部１２５は、吐出面を下に向けた場合に外周面の側方（シャワー吐出面の中心軸に対して垂直な向き）に向いた開口を有し、弁外筒２７３の内径よりも大きな内径に形成し、先端部には部材嵌合用に均一な肉厚を有する円筒部１２５ａを形成し、その円筒部１２５ａに同一周上等ピッチに４つの操作部材固定用の孔１２５ｂ，…，１２５ｂを穿設する。
【００５４】
流路切換弁２７０は、頭部１２０に設けられた弁外筒２７３（図４０）と、この弁外筒２７３に内嵌して弁外筒２７３内で軸回りに回動する弁内筒２７４（図４１）とからなる。
弁内筒２７４は、図４１〜４６に示すように、円筒部２７４ａの一端に円筒部外径よりも大きな外径を有する円板状の端面板２７４ｂを設け、その端面板２７４ｂの中心部から同心的に操作部材取付軸２７４ｃを突出し、さらに円筒部２７４ａの表面には、外周を一周するＯリング溝２７４ｄ，２７４ｅを軸突出側の反対側に位置する端部と浄水入口側の流入口を開口した位置の端面板配設側の反対側に位置する縁部に刻設し、また各流出口の周囲を一周するＯリング溝２７４ｆ…，２７４ｆを刻設する。
【００５５】
弁内筒２７４の円板状の端面板２７４ｂは、操作部材組込部１２５の内径よりも小さい径に形成して、操作部材組込部１２５から弁外筒２７３の内部に弁内筒２７４の円筒部２７４ａを挿入するとともに弁内筒２７４の端面板２７４ｂを操作部材組込部１２５の内部の最奥部まで挿入できるようにする。
弁内筒２７４の円筒部２７４ａの長さは、端面板２７４ｂの円筒部側の面から原水側の弁入口空間形成側に位置する円筒部２７４ａの端面までの長さが、原水側の弁入口空間２２２の容積を確保できる範囲で長く形成する。
【００５６】
弁内筒２７４には複数の流出口２７４ｇ，２７４ｈ，２７４ｉおよび浄水側の流入口２７４ｋを穿設する。各流出口の軸方向の位置は、弁外筒２７３に穿設された流出口２７３ａ，２７３ｂの軸方向の位置に合わせて穿設する。
浄水側の流入口２７４ｋは、平面形状が矩形の孔を一辺を端面板２７４ｂに沿わせて穿設する。
【００５７】
端面板２７４ｂの外面には、中央部に弁内筒２７４の軸心と同心にした丸棒状の操作部材取付軸２７４ｃを立設する。
この操作部材取付軸２７４ｃの中心部には軸方向に延びるねじ孔２７４ｍを設けて嵌合した操作部材をねじ止めすることができるようにし、先端部には端面から軸方向の所定位置まで３辺を平面に各面が直角になるようにカットして、一辺が山形に盛り上がった形状を有する角棒部２７４ｎを形成し、その操作部材取付軸２７４ｃの形状により取り付けるべき操作部材の取付位置や取付向きを確定できるようにする。
【００５８】
各流出口２７４ｇ，２７４ｈ，２７４ｉおよび浄水側の流入口２７４ｋの軸回りの相対的な向きは、図４２，４４〜４６に示すように、弁内筒２７４を端面板２７４ｂから開口した端面の方向に向いて見た場合に、浄水側のストレート吐出側の流路２７２への流出口２７４ｇと、原水側のストレート吐出側の流路２７２への流出口２７４ｈとが、上下方向に延設される同一直線上に孔の中心を合わせて互いに軸回りに 180度回転した位置に、そして、流出口２７４ｇよりも開口を有する端部に近づけた位置に穿設される流出口２７４ｉが流出口２７４ｈから反時計回りに 90 度回転した位置にそれぞれ配置して、原水がストレート吐出またはシャワー吐出することができるように流出方向を定める。
さらに、浄水側の流入口２７４ｋは、流入口２７４ｋが流出口２７４ｇと 180度軸回りに回転した位置に配置して、浄水がストレート吐出することができるように流出方向を定める。
【００５９】
そして、弁内筒２７４の内部には、流出口２７４ｇと流出口２７４ｈとの間に内部を原水用弁内空間と浄水用弁内空間として仕切る仕切板２７４ｏを設け、仕切板２７４ｏの半分は流出口２７４ｇの開口側に、仕切板２７４ｏの他の半分は流出口２７４ｈの端面板２７４ｂ側に位置する弁内筒２７４の内壁に接続して、仕切板２７４ｏから開口側を原水側の遮断弁として、また仕切板２７４ｏから端面板２７４ｂ側を浄水側の遮断弁として使用する。
【００６０】
〔作用効果〕
このように構成した第２実施形態においては、流路切換弁の操作部１３０の切換つまみ部材１３３を軸回りに回動し、原水がストレート吐出される位置に合わせると、図３７に示すように、原水用の弁上流側の流路１２１から弁入口空間２２２に流出し、流路切換弁２７０の端部に設けられた開口から原水側の遮断弁内に入り、流出口２７４ｈから流出口２７３ａを介してストレート吐出側の流路２７２へ流出し、さらに流路２７２から集合通過部１８５を介してストレート吐出側の流路１８１へ流出し、ストレート吐出口１４１からストレート吐出する。
【００６１】
次に、操作部１３０の切換つまみ部材１３３を、原水のストレート吐出位置から時計回りに 90 度回動して原水がシャワー吐出される位置に合わせると、図４７に示すように、原水が流路切換弁２７０の端部に設けられた開口から原水側の遮断弁内に流入し、流出口２７４ｉから流出口２７３ｂを介してシャワー吐出側の流路１８２へ流出し、さらに流路１８２から貫通孔１８０ｇを介してシャワー吐出側の流路１８３へ流出し、シャワー吐出口１４２からシャワー吐出する。
【００６２】
さらに、操作部１３０の切換つまみ部材１３３を、原水のストレート吐出位置から時計回りに 180度（原水のシャワー吐出位置から時計回りに 90 度）回動して浄水がストレート吐出される位置に合わせると、図４８に示すように、水質浄化用カートリッジ１６０から流出した浄水は弁上流側の流路１２３を介して弁入口空間１２４に流出し、浄水案内壁２２７を乗り越えて浄水流入口２２７ａから弁内筒２７４の流入口２７４ｋを通過して浄水側の遮断弁内に流入し、遮断弁の浄水側の弁内を通過して、弁内筒２７４の流出口２７４ｇから弁外筒２７３の流出口２７３ａを介してストレート吐出側の流路２７２へ流出し、さらに流路２７２から集合通過部１８５を介してストレート吐出側の流路１８１へ流出し、ストレート吐出口１４１からストレート吐出する。
【００６３】
そして、さらに操作部１３０の切換つまみ部材１３３を、原水のストレート吐出位置から時計回りに 270度（浄水のストレート吐出位置から時計回りに 90 度）回動すると、弁内筒２７４のすべての流出口２７４ｇ，２７４ｈ，２７４ｉが弁外筒２７３によって塞がれ、止水する。
【００６４】
このようにして切換つまみ部材１３３を操作するだけで原水ストレート吐出または原水シャワー吐出ならび浄水ストレート吐出するように３パターンを切り換えて使用できるようになり、高い操作性とともに簡素化された構造を備えることができる。このため、胴部に水質浄化用カートリッジを収容し、頭部に切換弁を装備して、切換弁の形状、構造および収容容積等の制約を大幅に緩めるとともにシャワーヘッドの取扱上バランスの良い形状・構造にすることができる。
【００６５】
【発明の効果】
以上のように本発明では、請求項１に係る浄水機能付きシャワーヘッドは、シャワー吐出口およびストレート吐出口を形成した頭部と水質浄化用カートリッジを交換可能に収容した把持部とを一体的に形成し、前記頭部には、前記シャワー吐出口に連通するシャワー流出口および前記ストレート吐出口に連通するストレート流出口を内周面に形成した弁外筒と、この弁外筒に回動可能に内嵌するとともに、前記浄水流路に連通し周面に第一および第二の開口を形成した浄水用弁内空間、ならびに前記原水流路に連通し周面に第三および第四の開口を形成した原水用弁内空間を有する弁内筒とからなり、外周面に操作部を設けるとともに前記シャワー吐出口の形成部材とは別体に形成され、それぞれ異なる回動角度位置で第一あるいは第三の開口を前記シャワー流出口に連通させ、または第二あるいは第四の開口を前記ストレート流出口に連通させる回動式の流路切換弁を内蔵し、この流路切換弁を回動することにより吐出水の種類と吐出形態とを切り換えることにより、切換弁の形状、構造および収容容積等の制約を大幅に緩めるとともにシャワーヘッドの取扱上バランスの良い形状・構造にすることができる。
また、前記水質浄化用カートリッジには中央空間部を設けた水質浄化材を有し、前記把持部には、前記水質浄化用カートリッジの外周側流路を通過する原水流路と、前記外周側流路から前記水質浄化材を透過して前記中央空間部を通過する浄水流路とを形成したことにより、原水吐出の場合には、水質浄化用カートリッジの外周側流路を通過する原水により、浄水吐出時に蓄積された水質浄化材表面の目詰まりを引き起こすような微細な固形物質等を洗い流し、浄水吐出時に目詰りしにくくし、水質浄化材の浄化能力を高レベルに維持し、かつ寿命を長くすることができる。
【００６６】
また、請求項２に係る浄水機能付きシャワーヘッドは、前記流路切換弁の操作部を、前記頭部の側方に突出させたことにより、流路切換弁を操作しやすく、且つ、当該操作に際して手を濡らすことのない浄水機能付きシャワーヘッドを提供することができる。
【００６７】
また、請求項３に係る浄水機能付きシャワーヘッドは、前記把持部を、フレキシブルホースを介して水栓本体と連結しており、水質浄化用カートリッジを収容した把持部と流路切換弁を内蔵した頭部とにより、重量や形状のバランスが良好で取扱いのしやすい浄水機能付きシャワーヘッドを提供することができる。
【図面の簡単な説明】
【図１】本発明の実施の形態における浄水機能付きシャワーヘッドを示す平面図である。
【図２】本発明の実施の形態における浄水機能付きシャワーヘッドを示す側面図である。
【図３】本発明の実施の形態における浄水機能付きシャワーヘッドを示す正面図である。
【図４】本発明による第１実施形態の浄水機能付きシャワーヘッドを示す平面断面図（図５のＢ−Ｂ矢視図）である。
【図５】同上浄水機能付きシャワーヘッドを示す側面断面図（図４のＡ−Ａ矢視図）である。
【図６】同上浄水機能付きシャワーヘッドの把持部を示す横断面図である。
【図７】同上浄水機能付きシャワーヘッドの頭部を示す正面断面図（図５のＣ−Ｃ矢視図）である。
【図８】同上浄水機能付きシャワーヘッドの頭部単品を示す斜視図である。
【図９】同上浄水機能付きシャワーヘッドの頭部単品を示す平面図である。
【図１０】同上浄水機能付きシャワーヘッドの頭部単品を示す側面断面図（図９のＡ−Ａ矢視図）である。
【図１１】同上浄水機能付きシャワーヘッドの頭部単品を示す平面断面図（図１０のＢ−Ｂ矢視図）である。
【図１２】同上浄水機能付きシャワーヘッドの頭部単品を示す正面断面図（図９のＣ−Ｃ矢視図）である。
【図１３】同上浄水機能付きシャワーヘッドの頭部に設けた操作部材組込部を示す側面断面図（図９のＤ−Ｄ矢視図）である。
【図１４】同上浄水機能付きシャワーヘッドの頭部に設けた弁外筒の浄水流入口を示す側面断面図（図９のＥ−Ｅ矢視図）である。
【図１５】同上浄水機能付きシャワーヘッドの頭部単品における側面断面によって内部形状を示す斜視図である。
【図１６】同上浄水機能付きシャワーヘッドの蓋部材を示す説明図であって、（Ａ）は側面断面図（（Ｂ）におけるＤ−Ｄ矢視図）、（Ｂ）は下平面図、（Ｃ）は正面断面図（（Ｂ）におけるＥ−Ｅ矢視図）である。
【図１７】同上浄水機能付きシャワーヘッドの流路切換弁における弁内筒を示す斜視図である。
【図１８】同上浄水機能付きシャワーヘッドの流路切換弁における弁内筒を拡大して示す縦断面図である。
【図１９】同上浄水機能付きシャワーヘッドの流路切換弁における弁内筒の操作部材取付軸側の面を示す側面図である。
【図２０】同上浄水機能付きシャワーヘッドの流路切換弁における弁内筒の原水側のシャワー吐出路への流出口の位置で示す横断面図（図１８のＧ−Ｇ矢視図）である。
【図２１】同上浄水機能付きシャワーヘッドの流路切換弁における弁内筒のストレート吐出路への流出口の位置で示す横断面図（図１８のＨ−Ｈ矢視図）である。
【図２２】同上浄水機能付きシャワーヘッドの流路切換弁における弁内筒の原水側のシャワー吐出路への流出口の位置で示す横断面図（図１８のＩ−Ｉ矢視図）である。
【図２３】同上浄水機能付きシャワーヘッドの流路切換弁における弁内筒の浄水側の流入口の位置で示す横断面図（図１８のＪ−Ｊ矢視図）である。
【図２４】同上浄水機能付きシャワーヘッドの操作部材における軸支持部材を拡大して示す斜視図である。
【図２５】同上浄水機能付きシャワーヘッドの操作部材における軸支持部材をスリット刻設側から見た場合を拡大して示す斜視図である。
【図２６】同上浄水機能付きシャワーヘッドの操作部材における軸支持部材を拡大して示す縦断面図である。
【図２７】同上浄水機能付きシャワーヘッドの操作部材におけるクリック部材を拡大して示す説明図であって、（Ａ）は縦断面図、（Ｂ）は端面板側から見た側面図、（Ｃ）は切換つまみ部材側から見た側面図である。
【図２８】同上浄水機能付きシャワーヘッドの操作部材における切換つまみ部材を拡大して示す説明図であって、（Ａ）は操作部材取付軸挿入側から見た断面図、（Ｂ）は左側面図、（Ｃ）は取付ねじ挿入側から見た側面図である。
【図２９】同上浄水機能付きシャワーヘッドの仕切部材を示す説明図であって、（Ａ）は縦断面図、（Ｂ）は平面図である。
【図３０】同上浄水機能付きシャワーヘッドの集合通過部を拡大して示す説明図であって、（Ａ）は縦断面図、（Ｂ）は平面図、（Ｃ）は下平面図である。
【図３１】同上浄水機能付きシャワーヘッドのシャワープレートを示す説明図であって、（Ａ）は縦断面図、（Ｂ）は平面図である。
【図３２】同上浄水機能付きシャワーヘッドにおける頭部の原水シャワー吐出時を示す正面断面図（図７の流路切換弁を時計回りに 90 度回動した場合）である。
【図３３】同上浄水機能付きシャワーヘッドにおける頭部の浄水ストレート吐出時を示す正面断面図（図７の流路切換弁を時計回りに 180度回動した場合）である。
【図３４】同上浄水機能付きシャワーヘッドにおける頭部の浄水シャワー吐出時を示す正面断面図（図７の流路切換弁を時計回りに 270度回動した場合）である。
【図３５】本発明による第２実施形態の浄水機能付きシャワーヘッドを示す平面断面図（図３６のＢ−Ｂ矢視図）である。
【図３６】同上浄水機能付きシャワーヘッドを示す側面断面図（図３５のＡ−Ａ矢視図）である。
【図３７】同上浄水機能付きシャワーヘッドの頭部を示す正面断面図（図３６のＣ−Ｃ矢視図）である。
【図３８】同上浄水機能付きシャワーヘッドの頭部単品を示す側面断面図（図３９のＦ−Ｆ矢視図）である。
【図３９】同上浄水機能付きシャワーヘッドの頭部単品を示す平面断面図（図３８のＨ−Ｈ矢視図）である。
【図４０】同上浄水機能付きシャワーヘッドの頭部単品を示す正面断面図（図３９のＥ−Ｅ矢視図）である。
【図４１】同上浄水機能付きシャワーヘッドの流路切換弁における弁内筒を拡大して示す斜視図である。
【図４２】同上浄水機能付きシャワーヘッドの流路切換弁における弁内筒を示す縦断面図（図４３のＡ−Ａ矢視図）である。
【図４３】同上浄水機能付きシャワーヘッドの流路切換弁における弁内筒の操作部材取付軸側の面を示す側面図である。
【図４４】同上浄水機能付きシャワーヘッドの流路切換弁における弁内筒の原水側のシャワー吐出路への流出口の位置で示す横断面図（図４２のＢ−Ｂ矢視図）である。
【図４５】同上浄水機能付きシャワーヘッドの流路切換弁における弁内筒のストレート吐出路への流出口の位置で示す横断面図（図４２のＣ−Ｃ矢視図）である。
【図４６】同上浄水機能付きシャワーヘッドの流路切換弁における弁内筒の浄水側の流入口の位置で示す横断面図（図４２のＤ−Ｄ矢視図）である。
【図４７】同上浄水機能付きシャワーヘッドにおける頭部の原水シャワー吐出時を示す正面断面図（図３７の流路切換弁を時計回りに 90 度回動した場合）である。
【図４８】同上浄水機能付きシャワーヘッドにおける頭部の浄水ストレート吐出時を示す正面断面図（図３７の流路切換弁を時計回りに 180度回動した場合）である。
【符号の説明】
１００，２００  浄水機能付きシャワーヘッド
１１０  把持部
１１１  ねじ部
１１２  ホース接続部
１１３，１１４  筒部
１１５  中継用ねじ部
１１６  （水質浄化用カートリッジの外周側の）流路
１１７  カートリッジ受け
１１８  （外周側の）流路
１１９  （内面側の）流路
１２０  頭部
１２１  （原水側用、弁上流側の）流路
１２２，２２２  （原水側の）弁入口空間
１２３  （浄水側用、弁上流側の）流路
１２４  （浄水側の）弁入口空間
１２５  操作部材組込部
１２５ａ  円筒部
１２５ｂ  （操作部材固定用の）孔
１２６  蓋材
１２６ａ  （頭部内面に内嵌する）嵌合部
１２６ｂ  （流路仕切部材に内嵌する）嵌合部
１２７，２２７  浄水案内壁
１２７ａ，２２７ａ  浄水流入口
１３０  操作部
１３１  軸支持部材
１３１ａ  丸孔
１３１ｂ，１３１ｃ  Ｏリング溝
１３１ｄ  スリット
１３１ｅ  突出部
１３１ｆ  凹部
１３２  クリック部材
１３２ａ  孔
１３２ｂ  円弧状のスリット
１３２ｃ  突出部
１３２ｄ  スリット形成箇所の外周部
１３３  切換つまみ部材
１３３ａ  リム部
１３３ｃ  孔
１３３ｄ  ハブ部
１３３ｇ  ねじ挿通用の小孔
１４０  シャワー吐出面
１４１  ストレート吐出口
１４２  シャワー吐出口
１４３  張出部
１４４  雌ねじ
１４５  段差部
１４６  シャワープレート
１６０  水質浄化用カートリッジ
１６１  水質浄化材
１６２  中央空間部
１６３，１６４  フィルタ
１６５  殺菌セラミック
１６６，１６７，１６８  キャップ
１６９  Ｏリング
１７０，２７０  流路切換弁
１７１，２７１  流出口
１７２，１８１，２７２  （ストレート吐出側の）流路
１７３，２７３  弁外筒
１７３ａ，２７３ａ  （ストレート吐出側の流路への）流出口
１７３ｂ，２７３ｂ  （シャワー吐出側の流路への）流出口
１７４，２７４  弁内筒
１７４ａ，２７４ａ  円筒部
１７４ｂ，２７４ｂ  端面板
１７４ｃ，２７４ｃ  操作部材取付軸
１７４ｄ，１７４ｅ，１７４ｆ，２７４ｄ，２７４ｅ，２７４ｆ  Ｏリング
１７４ｇ，１７４ｈ，１７４ｉ，１７４ｊ，２７４ｇ，２７４ｈ，２７４ｉ  流出口
１７４ｋ，１７４ｌ，２７４ｋ  流入口
１７４ｍ，２７４ｍ  ねじ孔
１７４ｎ，２７４ｎ  角棒部
１７４ｏ，２７４ｏ  仕切板
１８０  仕切部材
１８０ａ  円板部
１８０ｂ，１８０ｃ  環状部材
１８０ｄ，１８０ｅ  円筒部材
１８０ｆ  コーン部
１８０ｈ  雄ねじ
１８０ｉ  Ｏリング溝
１８２，１８３  （シャワー吐出側の）流路
１８５  集合通過部
１８５ａ  底板部
１８５ｂ  溝
１９２  流路仕切部材
【図１】
0004648507.tif 000002
【図２】
0004648507.tif 000003
【図３】
0004648507.tif 000004
【図４】
0004648507.tif 000005
【図５】
0004648507.tif 000006
【図６】
0004648507.tif 000007
【図７】
0004648507.tif 000008
【図８】
0004648507.tif 000009
【図９】
0004648507.tif 000010
【図１０】
0004648507.tif 000011
【図１１】
0004648507.tif 000012
【図１２】
0004648507.tif 000013
【図１３】
0004648507.tif 000014
【図１４】
0004648507.tif 000015
【図１５】
0004648507.tif 000016
【図１６】
0004648507.tif 000017
【図１７】
0004648507.tif 000018
【図１８】
0004648507.tif 000019
【図１９】
0004648507.tif 000020
【図２０】
0004648507.tif 000021
【図２１】
0004648507.tif 000022
【図２２】
0004648507.tif 000023
【図２３】
0004648507.tif 000024
【図２４】
0004648507.tif 000025
【図２５】
0004648507.tif 000026
【図２６】
0004648507.tif 000027
【図２７】
0004648507.tif 000028
【図２８】
0004648507.tif 000029
【図２９】
0004648507.tif 000030
【図３０】
0004648507.tif 000031
【図３１】
0004648507.tif 000032
【図３２】
0004648507.tif 000033
【図３３】
0004648507.tif 000034
【図３４】
0004648507.tif 000035
【図３５】
0004648507.tif 000036
【図３６】
0004648507.tif 000037
【図３７】
0004648507.tif 000038
【図３８】
0004648507.tif 000039
【図３９】
0004648507.tif 000040
【図４０】
0004648507.tif 000041
【図４１】
0004648507.tif 000042
【図４２】
0004648507.tif 000043
【図４３】
0004648507.tif 000044
【図４４】
0004648507.tif 000045
【図４５】
0004648507.tif 000046
【図４６】
0004648507.tif 000047
【図４７】
0004648507.tif 000048
【図４８】
0004648507.tif 000049